(57)【要約】
【課題】  各使用者の体型の変化に応じて調整可能な体型対応調整式ブラジャーを提供する。
【解決手段】  ブラジャーカップ１０の間に第一調整部２０を設け、且つ各ブラジャーカップ１０の周縁と連結した脇バンド３０の中段に第二調整部４０を設ける。各調整部２０、調整部４０はほぼ矩形ストリップであり、調整部の両側にはそれぞれ二つの貫通孔２１、貫通孔２２、貫通孔４１、貫通孔４２と波形切開部２３、波形切開部４３とが開けられている。前記波形切開部２３、波形切開部４３は調整部の中央部に近接する箇所で設けられ、第一調整部と前記第二調整部とに開けた波形切開部２３、波形切開部４３は、柔軟で撓み性を有する。第一調整部２１と第二調整部４０との調整で、ブラジャーカップ１０を使用者に合わせることが可能で、且つ束縛力を調整可能なため、使用者は快適感を感じるとともに、長期間に着用しても健康に悪影響を与えない。
【選択図】    図１
0003100845.tif 000002
【実用新案登録請求の範囲】
【請求項１】
二つのブラジャーカップの間に一つの第一調整部が設けられ、各ブラジャーカップの周縁と連結した脇バンドの中段に一つの第二調整部が設けられ、各調整部はほぼ矩形ストリップであり、各調整部の両側にはそれぞれ二つの貫通孔と一つの波形切開部とが開けられ、前記波形切開部は各調整部の中央部に近接する箇所に設けられ、二つのブラジャーカップの対向する側には別々に一つの第一調整バンドが設けられ、前記第一調整バンドは第一調整部の貫通孔と波形切開部とを通して固定され、二つのブラジャーカップの側辺に備えられている脇バンドは前後側脇バンドに分けられ、前後側脇バンドの対向する側には別々に第二調整バンドが設けられ、前記第二調整バンドは第二調整部の貫通孔と波形切開部とを通して固定され、
何れか一つのブラジャーカップの第一調整バンドの裏側にはそれと並列する肌バンドが設けられ、第二調整バンドの裏側には、それと並列し前側脇バンドから伸びる肌バンドが設けられ、前記各肌バンドの幅は少なくとも第一調整部の幅と同様であることを特徴とする体型対応調整式ブラジャー。
【請求項２】
第一調整部と第二調整部との両側に開けられた二つの貫通孔はほぼ矩形を呈し、各貫通孔の長さは第一調整バンド又は第二調整バンドの幅と対応し、各貫通孔の幅は第一調整バンド又は第二調整バンドの厚さと対応し、且つ外側に設けられている貫通孔の幅が内側の貫通孔の幅よりも大きくなるように、二つの貫通孔の幅を異なる寸法にすることを特徴とする請求項１に記載の体型対応調整式ブラジャー。
【請求項３】
第一調整部と第二調整部とに開けられた波形切開部は、柔軟で撓み性を有することを特徴とする請求項２に記載の体型対応調整式ブラジャー。
【考案の詳細な説明】
【技術分野】
【０００１】
本考案は、体型対応調整式ブラジャーに関する。
【背景技術】
【０００２】
ブラジャーは女性の下着であり、その機能は、単純に乳房の保護から、乳房の健康の促進および美感の向上などに発展し、ブラジャーの設計はどんどん複雑になっている。一般には、外観効果の向上を強調するものが多い。例えば、ライニングや空気充填手段によって、乳房をもっと大きく見え、又は乳房の形をもっと綺麗に見せるなどがある。これは、このようなブラジャーを着用する女性が自分の外見にもっと自信を持つことを目的とするので、ブラジャーの設計者はブラジャーカップの設計に焦点を絞っている。
【考案の開示】
【考案が解決しようとする課題】
【０００３】
しかしながら、ブラジャーは女性の下着なので、着用時の快適性を重視しなければならない。各女性の左右の乳房およびバストは異なり、なお、乳房の寸法が同様であっても、その間隔が一致ではないが、目下のブラジャーの設計では、図６にしめすように、二ブラジャーカップの間隔は固定に設計され、且つバストの調整は二ブラジャーカップの外側にある脇バンドの係合部品によって実施する。このため、ブラジャーの購買の選択はブラジャーカップのサイズだけで決めることはできず、各種類のブラジャーを一つ一つ試着しないと、自分の体型に合うブラジャーが選出できない。だが、自分の体型に合うブラジャーは必ずしも好きなタイプではないため、自分の体型に合わないブラジャーを着用する使用者は多い。これは、使用者の身体協調に悪影響を与えるので、長時間になると、健康も悪くなる恐れがある。
【０００４】
したがって本考案の主な目的は、ブラジャーカップが各使用者の体型の変化に応じてもっとも快適な位置に調整可能となるように、ブラジャーを多調整点に設計した体型対応調整式ブラジャーを提供することにある。
【課題を解決するための手段】
【０００５】
上述の目的を達成するために、本考案の請求項に記載の体型対応調整式ブラジャーは、主に、二ブラジャーカップの間に第一調整部を設け、且つ各ブラジャーカップの周縁と連結した脇バンドの中段に第二調整部を設け、各調整部はほぼ矩形ストリップである。調整部の両側にはそれぞれ二つの貫通孔と波形切開部とが開けられ、前記波形切開部は調整部の中央部に近接する箇所で設けられる。二つのブラジャーカップの対向する側には別々に第一調整バンドが設けられ、前記第一調整バンドは第一調整部の貫通孔と波形切開部とを通し固定される。二つのブラジャーカップの側辺にある脇バンドは前後側脇バンドに分けられる。前後側脇バンドの対向する側には別々に第二調整バンドが設けられ、前記第二調整バンドは第二調整部の貫通孔と波形切開部とを通し固定される。何れか一つのブラジャーカップの第一調整バンドの裏側にはそれと並列する一肌バンドが設けられ、第二調整バンドの裏側には、それと並列し前側脇バンドから伸びる一肌バンドが設けられる。前記各肌バンドの幅は少なくとも第一調整部の幅と同様である。
【０００６】
また、本考案では、第一調整部と第二調整部との両側に開けた二貫通孔はほぼ矩形を呈し、前記二貫通孔の長さは第一調整バンド又は第二調整バンドの幅と対応し、前記二貫通孔の幅は第一調整バンド又は第二調整バンドの厚さと対応する。且つ外側にある貫通孔の幅が内側にある貫通孔の幅よりも大きいように、二貫通孔の幅を異なる寸法にする。
【０００７】
また、本考案では、当該第一調整部と第二調整部とに開けた波形切開部は、柔軟で撓み性を有する。
【０００８】
第一調整部と第二調整部とを調整することにより、二つのブラジャーカップを使用者の乳房に完全に合わせることが可能であり、且つ使用者のバストに応じて束縛力を調整可能なため、使用者は快適感を感じるとともに、長期間に着用しても健康に悪影響を与えない。
【考案を実施するための最良の形態】
【０００９】
以下、本考案の実施例を図面に基づいて説明する。
図１に示すように、本実施例による体型対応調整式ブラジャーは、主に、ブラジャーカップ１０の間に第一調整部２０を設け、且つ各ブラジャーカップ１０の周縁と連結した脇バンド３０の中段に第二調整部４０を設ける。各調整部２０、調整部４０はほぼ矩形ストリップであり、調整部の両側にはそれぞれ二つの貫通孔２１、貫通孔２２、貫通孔４１、貫通孔４２と波形切開部２３、波形切開部４３とが開けられている。前記波形切開部２３、波形切開部４３は調整部の中央部に近接する箇所で設けられ、前記第一調整部と前記第二調整部とに開けた波形切開部２３、波形切開部４３は、柔軟で撓み性を有する。
【００１０】
ブラジャーカップ１０の対向する側には別々に第一調整バンド１１が設けられ、第一調整部２０の両側に開けた二つの貫通孔２１、貫通孔２２はほぼ矩形を呈し、その長さ２１１、長さ２２１は第一調整バンド１１の幅と対応し、幅２１２、幅２２２は第一調整バンド１１の厚さと対応し、且つ外側にある貫通孔２１の幅２１２が内側にある貫通孔２２の幅２２２よりも大きいように、二つの貫通孔２１、貫通孔２２の幅を異なる寸法にする。したがって、第一調整バンド１１は、図２から図５に示すように、第一調整部２０の外側にある貫通孔２１の上方から貫入して、内側にある貫通孔２２を貫出した後、波形切開部２３を通し固定されることにより、使用者は二ブラジャーカップ１０の間隔を自分の体型に合わせて調整可能である。
【００１１】
二つのブラジャーカップ１０の側辺にある脇バンド３０は前後側脇バンド３０ａ、３０ｂに分けられ、前記前後側脇バンド３０ａ、３０ｂの対向する側には別々に第二調整バンド３１が設けられている。第二調整部４０の両側に開けた二つの貫通孔４１、貫通孔４２はほぼ矩形を呈し、その長さ４１１、長さ４２１は第二調整バンド３１の幅と対応し、その幅４１２、幅４２２は第二調整バンド３１の厚さと対応し、且つ外側にある貫通孔４１の幅４１２が内側にある貫通孔４２の幅４２２よりも大きくなるように、二つの貫通孔４１、貫通孔４２の幅を異なる寸法にする。前記第二調整バンド３１は、図２から図５に示すように、第二調整部４０の外側にある貫通孔４１の上方から貫入して、内側にある貫通孔４２を貫出した後、波形切開部４３を通し固定されることにより、使用者は脇バンド３０の長さを自分のバストに合わせて調整可能とする。
【００１２】
一方、何れか一のブラジャーカップ１０の第一調整バンド１１の裏側にはそれと並列する一肌バンド１２が設けられ、第二調整バンド３１の裏側には、それと並列し前側脇バンド３０ａから伸びる一肌バンド３２が設けられる。前記各肌バンド１２、肌バンド３２の幅は少なくとも各調整部２０、調整部４０の幅と同様である。これにより、第一調整部２０および第二調整部４０が使用者の肌と直接に接触することを回避可能とし、不快感を低減可能とする。
【図面の簡単な説明】
【００１３】
【図１】本考案の実施例による体型対応調整式ブラジャーを示す分解斜視図である。
【図２】本考案の実施例による各調整バンドが調整部を通させる方法を示す概略図１である。
【図３】本考案の実施例による各調整バンドが調整部を通させる方法を示す概略図２である。
【図４】本考案の実施例による各調整バンドが調整部を通させる方法を示す概略図３である。
【図５】本考案の実施例による各調整バンドが調整部を通させた状態方法を示す概略図である。
【図５−１】本考案の実施例による各調整バンドが調整部を通させた状態方法を示す上面概略図である。
【図６】従来のブラジャーの構造を示す概略図である。
【符号の説明】
【００１４】
１０  ブラジャーカップ、１１  第一調整バンド、１２  肌バンド、２０  第一調整部、２１  貫通孔、２３  波状切開部、３０  脇バンド、３０ａ  前側脇バンド、３０ｂ  後側脇バンド、３１  第二調整バンド、４０  第二調整部、２１１  長さ、２１２  幅
【図１】
0003100845.tif 000003
【図２】
0003100845.tif 000004
【図３】
0003100845.tif 000005
【図４】
0003100845.tif 000006
【図５】
0003100845.tif 000007
【図５−１】
0003100845.tif 000008
【図６】
0003100845.tif 000009